(57)【要約】【課題】  特色記録材により異なる装飾効果が指定されたオブジェクトを同一の用紙に出力する場合であっても、選択した用紙に応じた特色記録材の描画データ及び背景の描画データを作成する画像処理装置を提供する。【解決手段】  本発明における画像処理装置は、入力された描画データに含まれる複数のオブジェクトに対し特色記録剤を用いて表現する装飾効果を指定し、指定された装飾効果のうち優先して表現する装飾効果を設定し、設定された効果を優先して表現できる用紙を決定する。決定された用紙を用いて入力された描画データを印刷出力すべく、装飾効果が指定されたオブジェクトを除く部分である背景に特色記録剤を描画するか否かを示す第１のデータを作成し、優先していない装飾効果が指定されたオブジェクトに特色記録剤を描画するか否かを示す第２のデータを生成する。第１のデータと、第２のデータが同一である場合に、第１のデータを変更する。【選択図】  図６
2012123195.tif 000002
【特許請求の範囲】
【請求項１】
入力された描画データに含まれる複数のオブジェクトに対して、特色記録剤を用いて表現する装飾効果を指定する指定手段と、
前記指定手段にて指定されたオブジェクトに対する装飾効果のうち、優先して表現する装飾効果を設定する設定手段と、
前記設定手段により設定された効果を優先して表現できる用紙を決定する決定手段と、
前記決定手段により決定された用紙を用いて前記入力された描画データを印刷出力すべく、
前記指定手段により装飾効果が指定されたオブジェクトを除く部分である背景に前記特色記録剤を描画するか否かを示す第１のデータを作成する第１のデータ作成手段と、
前記決定手段で優先していない装飾効果が前記指定手段により指定されたオブジェクトに前記特色記録剤を描画するか否かを示す第２のデータを生成する第２のデータ作成手段と、
前記第１のデータ作成手段にて生成された第１のデータと、前記第２のデータ作成手段にて生成された第２のデータが同一であるか否かを判定する判定手段と、
前記判定手段により、同一であると判定された場合に、前記第１のデータを変更する変更手段と、
を有することを特徴とする画像処理装置。
【請求項２】
前記設定手段により優先される効果が光沢効果である場合は光沢紙を選択し、つや消し効果である場合はマット紙を選択することを特徴とする請求項１に記載の画像処理装置。
【請求項３】
前記特色記録剤は透明トナーであることを特徴とする請求項１に記載の画像処理装置。
【請求項４】
前記変更手段は、前記第１のデータのうち、前記設定手段で優先されていない装飾効果が指定されているオブジェクトを囲む領域のデータを反転することを特徴とする請求項１に記載の画像処理装置。
【請求項５】
前記変更手段は、前記第１のデータが前記特色記録剤を用いて背景を描画することを示している場合、前記第１のデータのうち、前記決定手段で優先されていない装飾効果が指定されているオブジェクトを囲む領域のデータを描画する特色記録剤の載り量を変更することを特徴とする請求項１に記載の画像処理装置。
【請求項６】
前記変更手段は、前記第１のデータが前記特色記録剤を用いて背景を描画することを示している場合、前記第１のデータのうち、前記決定手段で優先されていない装飾効果が指定されているオブジェクトを囲む領域のデータを描画するパターンの変更をすることを特徴とする請求項１に記載の画像処理装置。
【請求項７】
前記変更手段により変更される、前記決定手段で優先されていない装飾効果が指定されているオブジェクトを囲む領域のデータの幅を指定することができる請求項４乃至６に記載の画像処理装置。
【請求項８】
入力された描画データに含まれる複数のオブジェクトに対して、特色記録剤を用いて表現する装飾効果を指定する指定ステップと、
前記指定ステップにて指定されたオブジェクトに対する装飾効果のうち、優先して表現する装飾効果を設定する設定ステップと、
前記設定ステップにより設定された効果を優先して表現できる用紙を決定する決定ステップと、
前記決定ステップにより決定された用紙を用いて前記入力された描画データを印刷出力すべく、
前記指定ステップにより装飾効果が指定されたオブジェクトを除く部分である背景に前記特色記録剤を描画するか否かを示す第１のデータを作成する第１のデータ作成ステップと、
前記決定ステップで優先していない装飾効果が前記指定ステップにより指定されたオブジェクトに前記特色記録剤を描画するか否かを示す第２のデータを生成する第２のデータ作成ステップと、
前記第１のデータ作成ステップにて生成された第１のデータと、前記第２のデータ作成ステップにて生成された第２のデータが同一であるか否かを判定する判定ステップと、
前記判定ステップにより、同一であると判定された場合に、前記第１のデータを変更する変更ステップと、
を有することを特徴とする画像処理方法。
【請求項９】
前記設定ステップにより優先される効果が光沢効果である場合は光沢紙を選択し、つや消し効果である場合はマット紙を選択することを特徴とする請求項８に記載の画像処理方法。
【請求項１０】
前記特色記録剤は透明トナーであることを特徴とする請求項８に記載の画像処理方法。
【請求項１１】
前記変更ステップは、前記第１のデータのうち、前記設定ステップで優先されていない装飾効果が指定されているオブジェクトを囲む領域のデータを反転することを特徴とする請求項８に記載の画像処理方法。
【請求項１２】
前記変更ステップは、前記第１のデータが前記特色記録剤を用いて背景を描画することを示している場合、前記第１のデータのうち、前記決定ステップで優先されていない装飾効果が指定されているオブジェクトを囲む領域のデータを描画する特色記録剤の載り量を変更することを特徴とする請求項８に記載の画像処理方法。
【請求項１３】
前記変更ステップは、前記第１のデータが前記特色記録剤を用いて背景を描画することを示している場合、前記第１のデータのうち、前記決定ステップで優先されていない装飾効果が指定されているオブジェクトを囲む領域のデータを描画するパターンの変更をすることを特徴とする請求項８に記載の画像処理方法。
【請求項１４】
前記変更ステップにより変更される、前記決定ステップで優先されていない装飾効果が指定されているオブジェクトを囲む領域のデータの幅を指定することができる請求項１１乃至１３に記載の画像処理方法。
【請求項１５】
請求項８乃至１４に記載の方法をコンピュータに実行させるためのプログラム。
【発明の詳細な説明】
【技術分野】
【０００１】
本発明は、特色記録剤を用いて記録媒体に画像を形成する画像処理装置に関するものである。
【背景技術】
【０００２】
一般に、ホストコンピュータから供給される描画データを取り込み、この描画データに基づいて画像処理を行う画像処理装置がある。画像処理方式としては、例えば電子写真方式がある。この電子写真方式を用いる画像処理装置では、帯電器で感光ドラムを帯電させ、画像データに応じた光で感光ドラム上に静電潜像を形成する。この静電潜像に対して現像器で記録剤を付着させて現像し、可視像とする。次に、この現像された記録剤像を感光ドラムから用紙に転写し、熱や圧力で用紙上に定着する。
【０００３】
こうした電子写真方式の画像処理装置において、プロセスカラーといわれる基本の記録剤の色であるＣＭＹＫ（シアン、マゼンタ、イエロー、ブラック）記録剤を使用することに加えて、印刷される画像の一部または全部に、特色記録剤も使用する。この特色記録剤には、透明記録剤がある。（特許文献１）。こうした透明記録剤を用いて印刷された画像部分には、印刷表面の光の反射性能に変化が生じ、装飾効果を表現することが出来る。また、画像処理に用いる用紙の種類（紙種）と透明記録剤を用いて印刷される描画データの組み合わせにより、用紙の表面において、透明記録剤が用いられた部分に対して光沢感やつやけし感などの装飾効果が発揮できる。
【０００４】
また、透明記録剤を用いて装飾効果（光沢感やつや消し感）を表現するには、紙と透明記録剤の表面の特性の差分の関係について考慮しなければならない。光沢紙とマット紙の表面には差がある。光沢紙の表面は、コーティングされているため凹凸がない。一方、マット紙（普通紙を含む）の表面は、紙の繊維の影響で凹凸が存在する。紙の上に透明記録剤を用いて印刷を行った場合、透明記録剤が載った箇所の表面は画像処理装置の定着ユニットを通過しても若干の凹凸は残ってしまう。よって光沢紙に透明記録剤による印刷を行った場合には、光沢紙の表面には凹凸がなく、透明記録剤を付加した表面は凹凸がある。この凹凸の差により表面に光沢差が生じるため、透明記録剤を付加した箇所（つまり透明記録剤の表面）にはつや消し効果が現れる。一方、マット紙に透明記録剤を用いて印刷を行った場合には、紙にも透明記録剤を付加した表面にもどちらの表面にも凹凸がある。しかし一般的には、マット紙の表面の方が透明記録剤を付加した表面の凹凸よりも大きいため、透明記録剤を印字した箇所（つまり、透明記録剤の表面）には光沢効果が現れる。
【０００５】
よって、光沢紙を用いてオブジェクトに対し光沢感を表現したい場合は、オブジェクトの周囲の領域（背景）に対して透明記録剤を用いて印刷を行う。これにより、オブジェクトの表面の凹凸は光沢紙そのものの凹凸で、オブジェクト周囲の領域の表面は透明記録剤による凹凸が存在するが、オブジェクト表面の凹凸の方が小さいため、オブジェクト表面には光沢感を表現することが可能になる。
【０００６】
逆に、光沢紙を用いてオブジェクトにおいてつやけし感を表現したい場合は、オブジェクトに対して透明記録剤を用いて印刷を行う。これにより、オブジェクトの表面には透明記録剤による凹凸が存在し、オブジェクト周囲の領域の表面には光沢紙そのものの凹凸が存在する。しかし、両者を比較するとオブジェクト表面の凹凸の方が大きいため、オブジェクト表面ではつやけし感を表現することが可能になる。
【０００７】
また、マット紙を用いてオブジェクトにおいてつやけし感を表現したい場合は、オブジェクトの周囲の領域に対して透明記録剤を用いて印刷を行う。これにより、オブジェクトの表面の凹凸はマット紙そのものの凹凸で、オブジェクト周囲の領域の表面は透明記録剤に凹凸が存在するが、オブジェクト表面の凹凸の方が大きいため、オブジェクト表面にはつやけし感を表現することが可能になる。
【０００８】
このように、表面の凹凸に差が生じると表面の光沢度に差が生じる。透明記録剤を用いて表現される装飾効果は、効果が指定されたオブジェクトの表面の凹凸とその周囲の表面の凹凸の差により生じる光沢度の差で実現されている。
【先行技術文献】
【特許文献】
【０００９】
【特許文献１】特開２００６−２５１７２２
【特許文献２】特開２０１０−０９１８１３
【発明の概要】
【発明が解決しようとする課題】
【００１０】
同一の用紙面上に、透明記録剤を用いて複数のオブジェクトに対して異なる装飾効果を表現するよう設定する場合を考慮する。例えば、同一の光沢用紙面上に透明記録剤を用いて光沢効果を表現するように指定されたオブジェクトと、つやけし効果を表現するように指定されたオブジェクトが存在させる場合を考察する。
【００１１】
ある光沢特性を有する１枚の用紙面上に光沢効果を表現するように指定されたオブジェクトとつやけし効果を表現するように指定されたオブジェクトの印刷をする場合、効果を指定したオブジェクトとその周囲の光沢効果が同一となる。そのため、オブジェクトに対して指定された装飾効果が十分発揮できないことがある。
【００１２】
例えば、光沢効果を表現するように指定されたオブジェクトＡとつやけし効果を表現するように指定されたオブジェクトＢを１枚の光沢紙に再現する場合を想定する。この場合、オブジェクトＡにて光沢効果を表現するためにオブジェクトＡの背景、つまり背景技術で説明したように光沢紙のオブジェクトＡ領域以外の領域に透明記録剤を載せると、オブジェクトＢ領域も背景部分にも透明記録剤が載せられてしまう。よって、オブジェクトＢの領域とその周辺との光沢差がなくなり、オブジェクトＢが目立たなくなるため、オブジェクトＢに対して指定されたつやけし効果が表現できないといった課題が生じることとなる
【課題を解決するための手段】
【００１３】
上記課題を解決するため本発明における画像処理装置は、入力された描画データに含まれる複数のオブジェクトに対して、特色記録剤を用いて表現する装飾効果を指定する指定手段と、前記指定手段にて指定されたオブジェクトに対する装飾効果のうち、優先して表現する装飾効果を設定する設定手段と、前記設定手段により設定された効果を優先して表現できる用紙を決定する決定手段と、前記決定手段により決定された用紙を用いて前記入力された描画データを印刷出力すべく、前記指定手段により装飾効果が指定されたオブジェクトを除く部分である背景に前記特色記録剤を描画するか否かを示す第１のデータを作成する第１のデータ作成手段と、前記決定手段で優先していない装飾効果が前記指定手段により指定されたオブジェクトに前記特色記録剤を描画するか否かを示す第２のデータを生成する第２のデータ作成手段と、前記第１のデータ作成手段にて生成された第１のデータと、前記第２のデータ作成手段にて生成された第２のデータが同一であるか否かを判定する判定手段と、前記判定手段により、同一であると判定された場合に、前記第１のデータを変更する変更手段を有することを特徴とする。
【発明の効果】
【００１４】
印刷出力時に用いる同一の用紙上に異なる装飾効果が指定されているオブジェクトが存在していても、背景部分のデータを変更することで、ユーザが指定した効果を表現することができる。
【図面の簡単な説明】
【００１５】
【図１】ホストコンピュータとプリンタのハードウェア構成例を示す図である。
【図２】印刷制御システムのソフトウェアの構成例を示す図である。
【図３】メインウインドウのユーザインターフェースの例を示した図である。
【図４】印刷設定のユーザインターフェースの例を示した図である。
【図５】装飾効果設定時の処理手順を示したフローチャートである。
【図６】印刷実行時の処理手順を示したフローチャートである。
【図７】印刷実行時の出力用紙の決定および透明トナーデータ作成処理手順を示したフローチャートである。
【図８】優先装飾効果を選択するユーザインターフェースの例を示した図である。
【図９】文書データの例を示す図である。
【図１０】プリンタ情報の例を示した図である。
【図１１】本文データの例を示す図である。
【図１２】出力結果の例を示す図である。
【図１３】透明トナーの描画方法の設定のユーザインターフェースの例を示した図である。
【発明を実施するための形態】
【００１６】
（実施例１）
以下、本発明を実施するための最良の形態について図面を用いて説明する。なお、以下の実施例は特許請求の範囲に係る本発明を限定するものではなく、また本実施例で説明されている特徴を組み合わせたものすべてが本発明の解決手段に必須のものとは限らない。
【００１７】
また、特色記録剤には透明トナーを用いて以下を説明するが、この特色記録剤には、透明トナー以外にも、印刷用紙等の媒体、又はトナー等が積載された媒体上に光沢度を変更させるようなトナー、インク等であればよい。
【００１８】
例えば、透明トナーの他にも、淡トナーや透明インク等、他の特色記録剤を用いても構わない。
【００１９】
また、透明トナーとは、透過性がある画像を付加する特徴を有する透明記録剤である。この透明トナーを用いて印刷が行われた領域は見えにくい。また、透明トナーを用いると、有色トナーのみ用いて行われた印刷とは異なった光沢感やつやけし感等の特殊な質感を表現することができる。この特殊な質感は、印刷出力時に用いる用紙との組み合わせによって異なる。
【００２０】
＜構成＞
図１は、本実施例の印刷制御システムのハードウェア構成例を示すブロック図である。
【００２１】
ホストコンピュータ１はＣＰＵ（Ｃｅｎｔｒａｌ  Ｐｒｏｃｅｓｓｉｎｇ  Ｕｎｉｔ  ）１１、ＲＡＭ（Ｒａｎｄｏｍ  Ａｃｃｅｓｓ  Ｍｅｍｏｒｙ）１２、ＲＯＭ（Ｒｅａｄ  Ｏｎｌｙ  Ｍｅｍｏｒｙ）１３を備える。さらに、システムバス１４、キーボードコントローラ１５を備える。また、ホストコンピュータ１は、ディスプレイコントローラ１６、ディスクコントローラ１７、プリンタコントローラ１８、キーボード１９、ディスプレイ２０、外部メモリ２１を備える。ＣＰＵ１１は、ＲＯＭ１３に含まれるプログラム用ＲＯＭ又は外部メモリ２１に記憶された文書処理プログラム等に基づいて、文書処理と、該文書処理に基づく印刷処理の実行を制御する。ここで、文書処理とは、例えば、図形、イメージ、文字、表（表計算等を含む）等が混在した文書の処理を示す。ＣＰＵ１１は、システムバス１４に接続されている各デバイスを制御する。ＲＡＭ１２は、ＣＰＵ１１の主メモリ、ワークエリア等として機能する。
【００２２】
ＲＯＭ１３は、プログラム用ＲＯＭ、フォント用ＲＯＭ、及びデータ用ＲＯＭを備える。ＲＯＭ１３内のプログラム用ＲＯＭ、又は、外部メモリ２１には、ＣＰＵ１１の制御プログラムであるオペレーティングシステム（ＯＳ）プログラム等が記憶されている。また、ＲＯＭ１３内のフォント用ＲＯＭ、又は、外部メモリ２１には、文書処理に用いられるフォントデータ等が記憶されている。更に、ＲＯＭ１３内のデータ用ＲＯＭ、又は、外部メモリ２１には、文書処理等を行う際に用いられる各種データが記憶されている。システムバス１４には、ＣＰＵ１１、ＲＡＭ１２、ＲＯＭ１３、キーボードコントローラ１５、ディスプレイコントローラ１６、ディスクコントローラ１７、プリンタコントローラ１８が接続されている。
【００２３】
キーボードコントローラ１５は、キーボード１９、又は図示を省略するポインティングデバイスからのキー入力を制御する。ディスプレイコントローラ１６は、ディスプレイ２０による表示を制御する。ディスクコントローラ１７は、外部メモリ２１とのアクセスを制御する。ここで、外部メモリ２１として、例えばブートプログラム、各種のアプリケーション、フォントデータ、ユーザファイル、編集ファイル、プリンタ制御コマンド生成プログラム等を記憶するハードディスク、フロッピー（登録商標）ディスクが用いられる。プリンタコントローラ１８は、ネットワーク７を介して、プリンタ３に接続されており、プリンタ３との通信制御処理を実行する。なお、ＣＰＵ１１は、ディスプレイ１０上の図示を省略するマウスカーソル等で指示されたコマンドに基づいて、予め登録された種々のウィンドウを開き、種々のデータ処理を実行する。ユーザは、印刷を実行する際に、印刷の設定に関するウィンドウを開き、プリンタの設定や、印刷モードの選択等、印刷処理方法における設定を行うことができる。
【００２４】
画像処理装置としてのプリンタ３は、ＣＰＵ３１、ＲＡＭ３２、ＲＯＭ３３、システムバス３４、入出力部３５、印刷部インターフェース３６、メモリコントローラ３７、印刷部３８、操作部３９、外部メモリ４０を備える。ＣＰＵ３１は、プリンタ３全体を制御する。ＣＰＵ３１は、ＲＯＭ３３又は外部メモリ４０に記憶された制御プログラム等に基づいて、印刷部インターフェース３６を介して、印刷部３８に印刷出力情報としての画像信号を入力する。以下、印刷部３８をプリンタエンジンとも記述する。
【００２５】
ＲＡＭ３２は、ＣＰＵ３１の主メモリや、ワークエリア等として機能する。また、図示を省略する増設ポートに接続されるオプションＲＡＭにより、メモリ容量を拡張することができる。なお、ＲＡＭ３２は、出力情報展開領域、環境データ格納領域、ＮＶＲＡＭ（Ｎｏｎ  Ｖｏｌａｔｉｌｅ  Ｒａｎｄｏｍ  Ａｃｃｅｓｓ  Ｍｅｍｏｒｙ）等に用いられる。ＲＯＭ３３は、フォント用ＲＯＭ、プログラム用ＲＯＭ、データ用ＲＯＭを備える。ＲＯＭ３３のフォント用ＲＯＭには、印刷出力情報を生成する際に用いられるフォントデータ等が記憶されている。ＲＯＭ３３のプログラム用ＲＯＭには、ＣＰＵ３１の制御プログラム等が記憶されている。また、ハードディスク等の外部メモリ４０がないプリンタの場合には、ＲＯＭ３３のデータ用ＲＯＭには、プリンタ３の動作処理で用いられる種々の情報等が記憶されている。
【００２６】
システムバス３４には、ＣＰＵ３１、ＲＡＭ３２、ＲＯＭ３３、入出力部３５、印刷部インターフェース３６、メモリコントローラ３７、操作部３９が接続されている。
【００２７】
入出力部３５は、ネットワークカード等である。ＣＰＵ３１は、入出力部３５及びネットワーク７を介して、プリンタ３とホストコンピュータ１との間におけるデータの送受信を行う。これによって、プリンタ３内の情報等が、ホストコンピュータ１に通知される。印刷部インターフェース３６は、ＣＰＵ３１と印刷部３８との間のインターフェースである。メモリコントローラ３７は、外部メモリ４０へのアクセスを制御する。印刷部３８は、ＣＰＵ３１から印刷部インターフェース３６を介して入力された画像信号に基づいて画像を形成し、用紙に対して定着器を用いて定着させ、出力画像とする。
【００２８】
操作部３９は、ユーザの操作に応じた処理を行なう。操作部３９は、例えば、操作パネルであって、ユーザによる操作のためのスイッチ、ＬＥＤ（Ｌｉｇｈｔ  Ｅｍｉｔｔｉｎｇ  Ｄｉｏｄｅ）表示器等を備える。また、本実施例において、プリンタ３が、図示を省略するＮＶＲＡＭを備え、ＮＶＲＡＭが操作部３９から入力されたプリンタモード設定情報を記憶するようにしてもよい。外部メモリ４０は、ハードディスクやＩＣカード等である。外部メモリ４０は、オプションとして接続され、フォントデータ、エミュレーションプログラム、フォームデータ等を記憶する。
【００２９】
図２は、本実施例における印刷制御システムのソフトウェアの構成例を示す図である。ホストコンピュータ１は、アプリケーション１０１、グラフィックスエンジン１０２、プリンタドライバ１０３、システムスプーラ１０４を備える。アプリケーション１０１、グラフィックスエンジン１０２、プリンタドライバ１０３、システムスプーラ１０４は、図１に示す外部メモリ２１に保存されたファイルとして存在する。これらは、実行される場合にＯＳやそのモジュールを利用するモジュールによってＲＡＭ１２にロードされて実行されるプログラムモジュールである。また、アプリケーション１０１及びプリンタドライバ１０３は、外部メモリ２１のフロッピー（登録商標）ディスク、図示を省略するＣＤ−ＲＯＭ、又は図示を省略するネットワークを経由して、外部メモリ２１のハードディスクに追加することが可能となっている。
【００３０】
アプリケーション１０１は、ホストコンピュータ１のディスプレイ２０上に表示される。グラフィックユーザインターフェース（ＧＵＩ）部１１１は、キーボード／マウスなどの入力デバイスからの入力を受け付ける。入力制御部１１２は、ユーザのキーボード１９の操作を、ＧＵＩ部１１１を通して検知して、操作に応じて文書の編集、ファイルの保存などを指示する。文書編集部１１３は、入力制御部１１２の編集指示に従い、アプリケーション１０１で編集中の文書データに対して各種編集処理を制御する。保存更新部１１４は、入力制御部１１２の編集指示に従い、文書データおよびプリンタ情報の保存・更新を指示する。データ解析部１１５は、文書編集部１１３の制御に応じて、文書データおよびプリンタ情報を解析して、透明トナー描画データを含む描画データを生成する。印刷出力部１１６は、文書編集部１１３の制御に応じて、アプリケーション１０１で編集中の文書データに対して印刷出力を行う。通信部１１７はネットワーク７を介して、プリンタ３との通信を行う。
【００３１】
アプリケーション１０１は外部メモリ２１に格納されている文書データをＲＡＭ１２に読み込み、それを編集するための機能を利用者に提供する。文書データは、本文書処理システム独自のフォーマットであっても良いし、一般アプリケーションのデータファイルを独自のフォーマットに変換したものでもよい。文書データの例については、図９を用いて後述する。
【００３２】
図３および図４は、アプリケーション１０１のＧＵＩ部１１１を示している。ＧＵＩ部１１１は、メインウインドウ３０００、印刷設定ダイアログ４０００、透明トナー描画設定ダイアログ５０００（不図示）から構成される。表示領域３００１では文書データの内容を表示する。開くボタン３００２を押下することで、編集する文書データを選択することが可能である。保存ボタン３００３を押下することで編集中の文書データの保存を行う。印刷ボタン３００４を押下することで、編集中の文書データの印刷を実行する。印刷設定ボタン３００５を押下することで印刷設定ダイアログ４０００を表示する。印刷設定ダイアログ４０００ではレイアウトの設定や用紙サイズの設定などを行うことが可能である。印刷設定ダイアログにてＯＫボタンが押下されることで印刷設定の変更が開始される。装飾効果３００６は、透明トナーを載せることで表現できる装飾効果を設定することが可能であり、光沢及びつやけしが少なくとも存在する。３００７は透明トナーを載せる箇所を決めるアノテーション形式のスタンプのオブジェクトがあり、ユーザのキーボード１９の操作などによって設定することができる。例えば、３００８や３００９といった任意の位置に、スタンプのオブジェクトを載せることができる。なお、透明トナーを載せる設定はスタンプのような点在させる設定に限らず、全面を装飾するようなテンプレートが用意されていてもよい。
【００３３】
透明トナー描画設定ダイアログ５０００は、メインウインドウ３０００の不図示のコントロール（例えばメニューアイテム）を選択することで表示される。（この透明トナー描画設定ダイアログ５０００については、図１３を用いて後述する。）透明トナー描画設定ダイアログ５０００では、装飾効果が指定されたオブジェクトを印刷した際の描画状態とオブジェクト周辺の背景を印刷した際の描画状態が同一になってしまう場合、文書データにおける透明トナー描画データの設定を行うことが可能である。この設定を行うことにより、オブジェクトと背景が同様に透明トナーによって描写されることを防ぎ、オブジェクトと背景の差をつけることができる。
【００３４】
ここで、「描画状態が同一」とは、透明トナーが付加されているか否かが同一であることを示す。
【００３５】
透明トナー描画データについて設定する際には、図１３に記載のオブジェクトの周囲の透明トナーの描画方法５００１および５００２〜５００５のいずれかを選択することが可能である。
【００３６】
５００１は例えばチェックボックスである。
【００３７】
チェックがＯＮされると文書データが透明トナーを用いて印刷された際、装飾効果が指定されたオブジェクトの描画状態と背景の描画状態が同一なら、装飾効果が指定されたオブジェクトの周囲に対する透明トナーの描画方法の変更が行われる。
【００３８】
以下、透明トナーの描画方法である、透明トナーを付加するか否かを示すデータを「透明トナーデータ」とする。このデータはそれぞれのオブジェクトが有する。
【００３９】
実際には、５００２〜５００５は例えばラジオボタンである。
【００４０】
５００２が選択されているときは、装飾効果が指定されたオブジェクトの周囲部分の透明トナーデータを反転させる。なお、透明トナーデータの反転とは、データにおいて透明トナーで描画するように指定された部分を透明トナーで描画しないようにし、透明トナー描画しないように指定された部分を透明トナーで描画するようにすることを示す。
【００４１】
５００３が選択されているときには、装飾効果が指定されたオブジェクトに外接する矩形部分の透明トナーデータを反転する。５００４が選択されているときには、装飾効果が指定されたオブジェクトの周囲に対しての透明トナーデータを変更して、透明トナーの載り量を増減させる。例えば、オブジェクトに対して透明トナーが塗られる状態であれば、周囲の透明トナーの載り量は減らし、オブジェクトに対して透明トナーが塗られない状態であれば、周囲の透明トナーの載り量を増やす。５００５が選択されているときには、オブジェクトの周囲の透明トナーデータを変更し、透明トナーによる描画パターンを変化させる。例えば、メッシュ状にオブジェクトの周囲を塗ることで、オブジェクトの周囲とオブジェクトとの差を発生させる。
【００４２】
なお、５００６のように、オブジェクトの周囲の大きさを例えばスライダーバーで指定できる用意してもよいし、数値で指定できるようにしてもよい。５００６による設定値は５００２〜５００４のいずれの設定値においても周囲の領域として使用される。
【００４３】
なお、本設定値については、アプリケーション１０１の設定ファイルとして外部メモリ２１に保持する。また、参照時には、ＲＡＭ１２にロードされる。設定は予めユーザが決定してもよい。
【００４４】
以上のようにして、装飾効果が指定されたオブジェクトとその周囲である背景部分とを差別化する。
【００４５】
グラフィックスエンジン１０２も、アプリケーションと同様にＲＡＭ１２にロードされて実行される。プリンタドライバ１０３は、アプリケーション１０１の出力を、印刷出力を実行するプリンタの制御コマンドに変換する。この制御コマンドは、グラフィックスエンジン１０２が生成した印刷データの印刷出力を指示するコマンドである。プリンタドライバ１０３は、ホストコンピュータ１とネットワーク７を介して接続されたプリンタ毎に用意されており、外部メモリ２１からＲＡＭ１２にロードされて実行される。システムスプーラ１０４は、プリンタドライバ１０３によって変換されたプリンタ制御コマンドを、ネットワーク７を介して、印刷出力を実行するプリンタへ出力する。このプリンタ制御コマンドを受けたプリンタが、印刷出力を実行する。システムスプーラ１０４も図２に示すＲＡＭ１２にロードされて実行される。
【００４６】
プリンタ３は、用紙情報作成部３０１、用紙情報応答部３０２、用紙情報３０３を備える。用紙情報作成部３０１は、用紙情報を作成し、作成した用紙情報を用紙情報３０３に蓄積する。用紙情報には少なくともプリンタ３が備える給紙段にセットされている用紙の表および裏の表面の性質（以下、用紙の属性と呼ぶ）を含む。各給紙段のプリンタの用紙情報応答部３０２は、ホストコンピュータ１の通信部１１７からプリンタ情報の取得要求を受けて、プリンタ情報を通信部１１７に送信する。送信するプリンタ情報としては、少なくとも用紙情報３０３の情報を含む。
【００４７】
本実施例の印刷制御方法は、図２に示す印刷制御システムが備える、ホストコンピュータ１の動作によって実現される。
【００４８】
＜データ構造＞
図９は、文書データの例を示したものである。前述したように文書データは、外部メモリ２１に格納されており、アプリケーション１０１によりＲＡＭ１２に読み込まれる。また、文書データの内容はアプリケーション１０１により、更新される。アプリケーション本文データ９０１はドキュメントを構成するページおよび描画内容が格納される。印刷体裁情報９０２は、印刷設定ダイアログ４０００にて選択された印刷設定情報が格納される。
【００４９】
装飾効果情報９０３は、装飾効果３００６により設定された装飾効果の付与されているオブジェクトに関する情報である。たとえば、装飾効果が設定されているオブジェクトが載っているページ番号、オブジェクトの描画データ（座標）、装飾効果の内容（光沢またはつやけし）が少なくとも存在する。また、装飾効果情報９０３にはページごとの優先装飾効果も合わせて格納される。出力用紙属性９０４は、文書データの各ページの印刷時に必要な用紙属性が格納されている。透明トナー描画データ９０５には文書データにおける各ページを印刷する際に、透明トナーを用いて描画する内容が格納されている。
【００５０】
図１０はプリンタ情報の例を示したものである。プリンタ情報１０００は、印刷出力部１１６が現在、印刷対象としている１つのプリンタの情報を保持してもよいし、ネットワーク上の複数のプリンタに対するそれぞれのプリンタ情報を保持してもよい。プリンタ名１００１はプリンタの名称である。アドレス１００２は、ネットワーク７におけるプリンタのアドレスになる。１００３〜１００４、１００５〜１００６、１００７〜１００８は給紙段情報であり、プリンタに存在する給紙段にセットされている用紙の情報が格納されている。これらの用紙の属性は、通信部１１７が任意のタイミングで取得し、少なくとも印刷実行前に取得し格納する。各給紙段情報は１００４や１００６のように用紙の表面属性を少なくとも保持している。例えば、図１０では、給紙段Ａには表面属性が光沢、給紙段Ｂには表面属性がマットの属性を持つ用紙がセットされていることになる。
【００５１】
＜オブジェクトへの装飾効果の設定時の動作＞
図５は、オブジェクトへの装飾効果の設定時の処理フローの例を示す図である。
なお、本実施例ではオブジェクトへの装飾効果の設定時の動作として記載してあるが、既に装飾効果が適用されているオブジェクトに対する装飾効果の変更などページ内の装飾効果が変化するときには同様の処理フローを適用することが可能である。
【００５２】
ホストコンピュータ１のアプリケーション１０１にてＧＵＩ部１１１のメインウインドウ３０００にて、装飾効果３００６により装飾効果の設定が行われると、アプリケーション１０１はオブジェクトへの装飾効果の設定時のフローを開始する。ステップＳ５０１では、文書編集部１１３は装飾効果情報９０３を作成もしくは更新する。ステップＳ５０２ではデータ解析部１１５は、装飾効果情報９０３を参照し、処理対象ページの装飾効果情報の取得を行う。続いてステップＳ５０３にて、データ解析部１１５は、ステップＳ５０２で取得した対象ページ内の装飾効果に異なる効果設定が存在するか否かを判定する。判定の結果存在する場合は、ステップＳ５０５に進み、存在しない場合はステップＳ５０４に進む。ステップＳ５０４では、取得したページ内の装飾効果は単一であり、文書編集部１１３はページ内で優先する装飾効果を取得した装飾効果とする。ステップＳ５０５では、文書編集部１１３はページ内で設定されている装飾効果のうち優先する装飾効果を設定する。優先する装飾効果の決定方法としては、例えば、ページ上により多く存在する効果を優先するようにしてもよいし、アプリケーション１０１の設定情報として保持してもよい。さらには、図８に示すようなダイアログを表示し、ユーザに優先する装飾効果を選択させるような方式をとってもよい。ステップＳ５０６では、文書編集部１１３はステップＳ５０４もしくはステップＳ５０５で決定した優先装飾効果に従って出力用紙属性９０４の決定を行う。例えば、優先装飾効果が光沢感のときには、光沢効果を十分反映する光沢紙を選択し、優先装飾効果がつやけし感のときには、つやけし効果を十分反映するマット紙を選択する。ステップ５０７では、ＧＵＩ部１１１は表示領域３００１の文書データの内容を更新し、処理を終了する。
【００５３】
＜印刷実行時の動作＞
図６は、印刷時の処理フローの例を示す図である。
【００５４】
ホストコンピュータ１のアプリケーション１０１にてＧＵＩ部１１１のメインウインドウ３０００にて、印刷ボタン３００４が押下されると、アプリケーション１０１は印刷実行時の処理フローを開始する。
【００５５】
ステップＳ６０１では、通信部１１７はネットワーク７を介して、用紙情報３０３を取得し、プリンタ情報１０００に格納する。ステップＳ６０２では、データ解析部１１５は、文書データ９００を参照し、ｎ＝全ページ数とし、現在の処理対象ページ番号としてｉ＝１とする。ステップＳ６０３では、データ解析部１１５は、文書データ９００の装飾効果情報９０３を参照し、ｉページの装飾効果情報を取得する。続けてステップＳ６０４では、データ解析部１１５は、文書データ９００の出力用紙属性９０４を参照し、ｉページの出力用紙属性を取得する。ステップＳ６０５では、データ解析部１１５は、ステップＳ６０３で取得したｉページの装飾効果情報およびステップＳ６０４で取得したｉページの出力用紙属性を参照し、ｉページの印刷出力に使用する用紙を決定し、ｉページの透明トナー描画データ作成を行う。ステップＳ６０５の処理の詳細は図７を用いて後述する。
【００５６】
ステップＳ６０６では、印刷出力部１１６は、ｉページ目に存在する本文データに対する本文描画データおよび透明トナーを用いて印刷を行うために必要な描画データを、グラフィックスエンジン１０２を介して、プリンタドライバ１０３に送信する。本文描画データおよび透明トナー描画データを受信したプリンタドライバ１０３は、印刷出力を実行するプリンタの制御コマンドに変換し、システムスプーラ１０４を介してプリンタ３に送信する。プリンタの制御コマンドを受信したプリンタ３は制御コマンドに従って印刷出力を行う。ステップＳ６０７では、データ解析部１１５は、全てのページが送信完了しているかの判定を行い、完了していなければ、ステップＳ６０８に進み、完了していれば印刷処理を終了する。ステップＳ６０８では、データ解析部１１５は、処理対象とする用紙番号であるｉにｉ＋１を代入し、処理対象のページを次のページにする。
【００５７】
図７は、図６のステップＳ６０５における処理の詳細フローの例を示す図である。なお、図７の各ステップはデータ解析部１１５が行う。
【００５８】
ステップＳ７０１では、プリンタ情報１０００を参照し、ｉページの出力用紙属性を持つ用紙がプリンタ３に存在するか否かを判定する。存在する場合には、ステップＳ７０３に進み、存在しない場合にはステップＳ７０２に進む。ステップＳ７０２では、プリンタ情報１０００および、ｉページの装飾効果情報を参照し、装飾効果が実現可能な用紙を再度決定する。ステップ７０２において、装飾効果が実現可能な用紙がプリンタ３には存在しない場合には、プリンタ３に存在する用紙（例えば普通紙）を使用して印刷を継続してもよいし、印刷を中止するなどの処理としてもよい。この場合は、ＧＵＩ画面を介してユーザに印刷ができないことや、最適な用紙を給紙するように警告表示を行ってもよい。ステップＳ７０３では、出力用紙の設定を行う。具体的には、決定された用紙属性を保持する給紙段を設定する。ステップＳ７０４では、ｉページの優先装飾効果を取得する。ステップＳ７０５では、優先装飾効果を参照し、ｉページの背景領域（装飾効果が指定されたオブジェクトが存在しない領域）に対して透明トナーを載せるか否かを決定し、背景領域の透明トナーデータを作成する。ステップＳ７０５では、優先装飾効果の指定されたオブジェクトと背景への透明トナーの描画状態が同一にならないように背景の透明トナーデータを作成する。
【００５９】
ステップＳ７０６では、ｍ＝  ｉページ内の全装飾対象オブジェクト数とし、現在の処理対象オブジェクト番号としてｊ＝１とする。ステップＳ７０７では、装飾効果および出力用紙属性に従い、ｊ番目のオブジェクトに対して透明トナーを載せるか否かを決定する透明トナーデータを作成し、最終的に処理対象ページ全体において、透明トナーを付加する部分を示す透明トナー描画データを作成する。なお、ここでいう透明トナーデータとは少なくとも透明トナーを載せるか否かを示す。このデータにはさらにトナーの塗り量なども含まれてもよい。
【００６０】
ステップＳ７０８では、背景の透明トナーデータとｊ番目のオブジェクトの透明トナーのデータを比較し、透明トナーを載せるか否かについて同一の状態（透明トナーデータが同一）であればステップＳ７０９に進み、異なっていればステップＳ７１０に進む。ステップＳ７０９では、背景の一部であるオブジェクトの周囲の透明トナーデータを変更して描画方法を変える。ステップＳ７０９では、図１３での設定値に従ってオブジェクトの周囲の透明トナーデータの変更を行い、透明トナーの描画方法を変える。
【００６１】
ステップＳ７１０では、ｉページ上の全装飾効果オブジェクトの処理が完了したか否かを判定し、完了している場合には処理を終了し、完了してない場合にはステップＳ７１１に進む。ステップＳ７１１では処理対象のオブジェクト番号を１つ増やし、処理対象のオブジェクトの次のオブジェクトにする。
【００６２】
図１１は、本実施例の図５の装飾効果設定時の処理フローにより、装飾効果の付与されたオブジェクトを保持する文書データの一例である。
【００６３】
図１１の１１００は文書データ９００をメインウインドウ３０００で表示したときの例を表している。文書データ９００は１１０１および１１０２の２ページの本文データ９０１を持っている。
【００６４】
１１０３、１１０４および１１０５は装飾効果が設定されたオブジェクトを表している。１１０３に対しては装飾効果として光沢効果が設定されている。１１０４に対しては装飾効果として、つやけし効果が設定されている。１１０５に対しては装飾効果として光沢効果が設定されている。さらに、２ページのデータを印刷する際に優先させる優先装飾効果は、光沢効果が指定されている。
【００６５】
図１２は、本実施例の図６および図７の印刷実行時処理フローを図１１の文書データに対して適用させた時に用いる出力用紙と透明トナー描画データの組み合わせの出力例を示したものである。
【００６６】
なお、この例では、オブジェクトとそのオブジェクトの周囲が同一の透明トナーデータを有する場合、図１３にて、５００２の「オブジェクトの周囲の透明トナーデータを反転する」が設定されているものとする。
【００６７】
図１２（ａ）は、プリンタ３に光沢紙およびマット紙が存在する状態で印刷を実行したときの出力結果を示している。１２０１は、１ページ目のデータを印刷する際に用いる透明トナー描画データである。１２０２は１ページ目の印刷時に用いる出力用紙の属性を示しており、光沢紙が選択されている。出力用紙属性の決定および透明トナー描画データの作成はステップＳ６０５にて行われる。
【００６８】
１ページ目に存在するオブジェクトに対し、透明トナーを用いて指示された装飾効果は、光沢効果であり、装飾効果の設定時はＳ５０６にて光沢紙が用紙属性として登録されている。
【００６９】
プリンタ３には光沢紙が存在するため、Ｓ７０３においても出力用紙は光沢紙の存在する給紙段が設定される。
【００７０】
また、透明トナー描画データにおいて、オブジェクト１１０３は光沢効果が指定されており、印刷に用いる用紙が光沢紙と選択されているため、オブジェクト１１０３上には透明トナーを描画せず、背景を透明トナーで描画する。
【００７１】
この場合、背景には透明トナーが描画され、オブジェクト１１０３には透明トナーが描画されず、これらの透明トナーデータが同一にならない（描画方法が同一にはならない）ため、Ｓ７０９は適用されない。
【００７２】
次に、１２０３は、２ページ目の印刷時に用いる透明トナー描画データである。１２０４は２ページ目の印刷時に用いる出力用紙の属性を示しており、光沢紙が選択されている。用紙属性の決定および透明トナー描画データの作成はステップＳ６０５にて行われる。
【００７３】
２ページ目に存在するオブジェクトに対し、透明トナーを用いて指示された装飾効果は、光沢効果およびつやけし効果であり、装飾効果の設定時はＳ５０５にて優先装飾効果として光沢効果が決定され、Ｓ５０６にて光沢紙が用紙属性として登録されている。プリンタ３には光沢紙が存在するため、Ｓ７０３においても出力用紙は光沢紙の存在する給紙段からの給紙が設定される。また、透明トナー描画データにおいては、オブジェクト１１０４にはつやけし効果が指定されており、印刷に用いる用紙が光沢紙のため、オブジェクト１１０４上には透明トナーを描画する。オブジェクト１１０５には優先装飾効果である光沢効果が指定されており、印刷に用いる用紙が光沢紙のため、オブジェクト１１０５上には透明トナーが描画されず、背景を透明トナーで描画する。この場合、オブジェクト１１０４には透明トナーが描画され、背景にも透明トナーが描画されるため、これらの透明トナーデータが同一でいずれも透明トナーを描画してしまう。よって、ステップＳ７０９では、背景のうち、優先装飾効果ではないつやけし効果が指定されている方のオブジェクト１１０４の周囲の透明トナーデータの変更を行い、透明トナーの描画方法を変更する。
【００７４】
描画方法を変更する際には、図１３で選択された変更方法を参照して変更を行う。
【００７５】
図１２（ｂ）は、プリンタ３に光沢紙が存在し、マット紙は存在しない状態で印刷を実行したときの出力結果を示している。１２０５は、１ページ目のデータを印刷する際に用いる透明トナー描画データである。１２０６は１ページ目の印刷時に用いる出力用紙の属性を示しており、光沢紙が選択されている。１２０７は、２ページ目のデータを印刷する際に用いる透明トナー描画データである。１２０８は２ページ目の印刷時に用いる出力用紙の属性を示しており、光沢紙が選択されている。用紙属性の決定および透明トナー描画データの作成はステップＳ６０５にて行われる。
【００７６】
図１２（ａ）にて記載したように、文書データ１１００では、装飾効果設定時には光沢紙が選択されるため、光沢紙の存在する図１２（ｂ）で示す出力例は図１２（ａ）と同一となる。
【００７７】
図１２（ｃ）は、プリンタ３にマット紙が存在し、光沢紙が存在しない状態で印刷を実行したときの出力結果を示している。
【００７８】
１２０９は、１ページ目のデータを印刷する際に用いる透明トナー描画データである。１２１０は１ページ目のデータを印刷する際に用いる出力用紙の属性を示しており、マット紙が選択されている。用紙属性の決定および透明トナー描画データの作成はステップＳ６０５にて行われる。
【００７９】
１ページ目に存在するオブジェクトに対し、透明トナーを用いて指示された装飾効果は、光沢効果が指定されており、装飾効果の設定時はＳ５０６にて光沢紙が用紙属性として登録されている。
【００８０】
プリンタ３には光沢紙が存在しないため、Ｓ７０２において、出力用紙はマット紙が選択される。そして、ステップＳ７０３でマット属性を持つ出力用紙の存在する給紙段が設定される。また、透明トナー描画データは、オブジェクト１１０３は光沢効果が指定されており、出力に用いる用紙がマット紙のため、オブジェクト１１０３上には透明トナーを描画し、背景は透明トナーで描画しない。
【００８１】
この場合、背景には透明トナーが描画されず、オブジェクト１１０３には透明トナーが描画されるので、これらの描画方法が同一にはならないため、Ｓ７０９は適用されない。
【００８２】
オブジェクト１２１１は、２ページ目を印刷する際に用いる透明トナー描画データである。１２１２は２ページ目を出力する際に用いる用紙の属性を示しており、マット紙が選択されている。用紙属性の決定および透明トナー描画データの作成はステップＳ６０５にて行われる。
【００８３】
１ページ目に存在するオブジェクトに対し、透明トナーを用いて指示された装飾効果は、光沢効果およびつやけし効果が指定されており、装飾効果の設定時はＳ５０５にて優先装飾効果として光沢効果が決定され，Ｓ５０６にて光沢紙が用紙属性として登録されている。
【００８４】
プリンタ３には光沢紙が存在しないため、Ｓ７０２において、出力用紙としてマット紙が選択される。
【００８５】
そして、ステップＳ７０３でマット属性を持つ出力用紙の存在する給紙段が設定される。また、透明トナー描画データにおいては、オブジェクト１１０４はつやけし効果が指定されており、出力に用いる用紙がマット紙のため、オブジェクト１１０４上には透明トナーを描画しない。オブジェクト１１０５は優先装飾効果である、光沢効果が指定されており、出力に用いる用紙がマット紙のため、オブジェクト１１０５上には透明トナーを用いて描画し、背景は透明トナーを用いて描画しない。
【００８６】
この場合、オブジェクト１１０４には透明トナーが描画されず、背景にも透明トナーが描画されないため、これらの透明トナーデータが同一となりいずれも透明トナーを描画しない。よって、ステップＳ７０９では、優先装飾効果ではないつやけし効果が指定されている方のオブジェクト１１０４の周囲の透明トナーデータを変更し、透明トナーの描画方法を変更している。
【００８７】
描画方法を変更する際には、図１３で選択された変更方法を参照して変更を行う。
【００８８】
上述のように、透明トナーを用いて印刷を行う際、透明トナーを用いて表現する装飾効果を指示されたオブジェクトが含まれる文書データを印刷する際に、指示された装飾効果に応じて用紙を選択し、選択された用紙に合わせて透明トナー描画データを作成する。
【００８９】
さらに、同一ページ内に対して指定されているオブジェクトに対する装飾効果と異なる装飾効果を指定されるオブジェクトを付与される際に、警告メッセージを表示することでいずれの装飾効果を優先するかを選択することが可能となっている。優先される装飾効果の付与されたオブジェクトと背景の領域では透明トナーの描画の状態が異なるため装飾効果が十分発揮することが可能である。
【００９０】
（実施例２）
実施例１では、印刷実行時にアプリケーション１０１にて、図７に示す処理において、出力用紙の決定および透明トナーデータの変更を行っている。しかし、出力用紙の決定および透明トナーデータの変更はプリンタドライバ１０３がプリンタ３から用紙情報３０３の取得を行い、印刷データを受信した際に行ってもよい。さらに、出力用紙の決定および透明トナーデータの変更はプリンタ３が用紙情報３０３を参照して行ってもよい。
【００９１】
本実施例の構成にすることでアプリケーションの種類によらず、透明トナーによる複数の装飾効果が付与されている文書データを印刷するときに、装飾効果に応じて用紙を自動的に選択し、選択された用紙に合わせて透明トナー描画データを作成する。これにより、ユーザにより指示されている、同一ページ内に存在するオブジェクトに対して、ユーザが指示する光沢効果やつやけし効果を表現することが可能である。
【００９２】
（その他の実施例）
また、本発明は、以下の処理を実行することによっても実現される。即ち、上述した実施例の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2012123195.tif 000003
【図２】
2012123195.tif 000004
【図３】
2012123195.tif 000005
【図４】
2012123195.tif 000006
【図５】
2012123195.tif 000007
【図６】
2012123195.tif 000008
【図７】
2012123195.tif 000009
【図８】
2012123195.tif 000010
【図９】
2012123195.tif 000011
【図１０】
2012123195.tif 000012
【図１１】
2012123195.tif 000013
【図１２】
2012123195.tif 000014
【図１３】
2012123195.tif 000015